【手続補正書】
【提出日】平成23年10月27日(2011.10.27)
【手続補正１】
【補正対象書類名】明細書
【補正対象項目名】００１４
【補正方法】変更
【補正の内容】
【００１４】
上記目的を達成するため、本発明に係るフィルタ乾燥装置は、フィルタを洗浄した後に乾燥させるフィルタ乾燥装置において、フィルタを乾燥装置に移送する搬送手段と、水分を吸収する吸水材がロール状に巻き付けられ、フィルタの搬送方向に多段に配置され、搬送手段の駆動に連動して回転する複数の吸水ローラと、各吸水ローラに設けられた吸水材をフィルタに押し付けてフィルタの内部に含まれた水分を吸収させる押し当て機構と、を備え、フィルタを搬送しながらフィルタ内部に含まれた水分を吸収すること、を特徴とする。
【手続補正２】
【補正対象書類名】明細書
【補正対象項目名】００１６
【補正方法】削除
【補正の内容】
【手続補正３】
【補正対象書類名】明細書
【補正対象項目名】００１７
【補正方法】変更
【補正の内容】
【００１７】
また、フィルタ乾燥装置は、各吸水ローラが、フィルタの上方に設けられる複数の上部吸水ローラと、フィルタの下方に設けられる複数の下部吸水ローラとから構成され、押し当て機構によりフィルタを上下方向に挟んでフィルタの内部に含まれた水分を吸収することが好ましい。これにより、フィルタの表側と裏側との双方から濾材内部の水分を双方に設けられた吸水材により吸収し、濾材内部に含まれる水分を短時間に脱水することができる。
【手続補正４】
【補正対象書類名】明細書
【補正対象項目名】００１８
【補正方法】変更
【補正の内容】
【００１８】
また、フィルタ乾燥装置は、押し当て機構が、各上部吸水ローラを上下方向に駆動させる駆動装置を有し、駆動装置が、各上部吸水ローラとフィルタの上面との間隔を調整し、各上部吸水ローラをフィルタに押し付けて各吸水ローラの吸水材を圧縮させることが好ましい。これにより、押し当て機構の駆動装置は、上部吸水ローラをフィルタに押し付けて上部吸水ローラの吸水材を圧縮させる押し当て機能だけではなく、駆動装置により上部吸水ローラを昇降させてフィルタの上下方向の高さのバリエーションに対応する間隔調整機能を有することができる。
【手続補正５】
【補正対象書類名】明細書
【補正対象項目名】００１９
【補正方法】変更
【補正の内容】
【００１９】
さらに、フィルタ乾燥装置は、各上部吸水ローラ及び各下部吸水ローラが、それぞれ絞りローラを備え、各絞りローラを各上部吸水ローラ又は各下部吸水ローラに押し当てて各吸水材を変形させることで脱水させることが好ましい。これにより、上部吸水ローラ及び下部吸水ローラを簡易に脱水させて次のフィルタの脱水に備えさせることができ、大量のフィルタを連続的に乾燥させることができる。
【手続補正６】
【補正対象書類名】明細書
【補正対象項目名】００２０
【補正方法】変更
【補正の内容】
【００２０】
上記目的を達成するため、本発明に係るフィルタ乾燥方法は、フィルタを洗浄した後に乾燥させるフィルタ乾燥方法において、フィルタを乾燥装置に移送するステップと、フィルタを搬送しながら吸水材がロール状に巻き付けられた複数の吸水ローラをフィルタに押し付けてフィルタの内部に含まれた水分を吸収させるステップと、フィルタを搬送しながら各吸水ローラにそれぞれ絞りローラを押し当てて各吸水材を変形させることで脱水させるステップと、を備え、フィルタを連続的に乾燥させることを特徴とする。
【手続補正７】
【補正対象書類名】明細書
【補正対象項目名】００２２
【補正方法】変更
【補正の内容】
【００２２】
また、フィルタ乾燥方法は、各吸水ローラが、フィルタの上方に設けられる複数の上部吸水ローラと、フィルタの下方に設けられる複数の下部吸水ローラとから構成され、各上部吸水ローラと各下部吸水ローラとは、略同時にフィルタに押し付けられ、フィルタの内部に含まれた水分を吸収することが好ましい。これにより、フィルタの表側と裏側との双方から濾材内部の水分を双方に設けられた吸水材により吸収し、濾材内部に含まれる水分を短時間に脱水することができる。
【手続補正８】
【補正対象書類名】明細書
【補正対象項目名】００２３
【補正方法】変更
【補正の内容】
【００２３】
さらに、フィルタ乾燥方法は、各上部吸水ローラ及び各下部吸水ローラが、それぞれ絞りローラを備え、各絞りローラを各上部吸水ローラ又は各下部吸水ローラに押し当てて各吸水材を変形させることで脱水させることが好ましい。これにより、上部吸水ローラ及び下部吸水ローラを簡易に脱水させて次のフィルタの脱水に備えさせることができ、大量のフィルタを連続的に乾燥させることができる。
【手続補正９】
【補正対象書類名】特許請求の範囲
【補正対象項目名】全文
【補正方法】変更
【補正の内容】
【特許請求の範囲】
【請求項１】
フィルタを洗浄した後に乾燥させるフィルタ乾燥装置において、
フィルタを乾燥装置に移送する搬送手段と、
水分を吸収する吸水材がロール状に巻き付けられ、フィルタの搬送方向に多段に配置され、搬送手段の駆動に連動して回転する複数の吸水ローラと、
各吸水ローラに設けられた吸水材をフィルタに押し付けてフィルタの内部に含まれた水分を吸収させる押し当て機構と、を備え、
フィルタを搬送しながらフィルタ内部に含まれた水分を吸収すること、
を特徴とするフィルタ乾燥装置。
【請求項２】
請求項１に記載のフィルタ乾燥装置であって、各吸水ローラは、フィルタの上方に設けられる複数の上部吸水ローラと、フィルタの下方に設けられる複数の下部吸水ローラとから構成され、押し当て機構によりフィルタを上下方向に挟んでフィルタの内部に含まれた水分を吸収することを特徴とするフィルタ乾燥装置。
【請求項３】
請求項２に記載のフィルタ乾燥装置であって、押し当て機構は、各上部吸水ローラを上下方向に駆動させる駆動装置を有し、駆動装置は、各上部吸水ローラとフィルタの上面との間隔を調整し、各上部吸水ローラをフィルタに押し付けて各吸水ローラの各吸水材を圧縮させることを特徴とするフィルタ乾燥装置。
【請求項４】
請求項２又は３に記載のフィルタ乾燥装置であって、各上部吸水ローラ及び各下部吸水ローラは、それぞれ絞りローラを備え、各絞りローラを各上部吸水ローラ又は各下部吸水ローラに押し当てて各吸水材を変形させることで脱水させることを特徴とするフィルタ乾燥装置。
【請求項５】
フィルタを洗浄した後に乾燥させるフィルタ乾燥方法において、
フィルタを乾燥装置に移送するステップと、
フィルタを搬送しながら吸水材がロール状に巻き付けられた複数の吸水ローラをフィルタに押し付けてフィルタの内部に含まれた水分を吸収させるステップと、
フィルタを搬送しながら各吸水ローラにそれぞれ絞りローラを押し当てて各吸水材を変形させることで脱水させるステップと、
を備え、フィルタを連続的に乾燥させることを特徴とするフィルタ乾燥方法。
【請求項６】
請求項５に記載のフィルタ乾燥方法であって、各吸水ローラは、フィルタの上方に設けられる複数の上部吸水ローラと、フィルタの下方に設けられる複数の下部吸水ローラとから構成され、各上部吸水ローラと各下部吸水ローラとは、略同時にフィルタに押し付けられ、フィルタの内部に含まれた水分を吸収することを特徴とするフィルタ乾燥方法。
【請求項７】
請求項６に記載のフィルタ乾燥方法であって、各上部吸水ローラ及び各下部吸水ローラは、それぞれ絞りローラを備え、各絞りローラを各上部吸水ローラ又は各下部吸水ローラに押し当てて吸水材を変形させることで脱水させることを特徴とするフィルタ乾燥方法。